(57)【特許請求の範囲】
【請求項１】
伝送ユニットに端末器を信号線を介して接続し、伝送ユニットから伝送される多重伝送信号により端末器のアドレスをアクセスして伝送ユニットから制御用のデータを当該アドレスの端末器に伝送するとともに、多重伝送信号に設けられた返信信号返信期間において当該アドレスの端末器から監視用のデータを伝送ユニットに返信させることにより端末器の遠隔監視制御を行う遠隔監視制御システムに用いられ、
１乃至複数の１回路用のラッチングリレーと、
前記伝送ユニットからの多重伝送信号を受信するとともに返信信号を送信する多重伝送信号送受信回路、アドレス設定部、受信する多重伝送信号により前記アドレス設定部で設定されたアドレスがアクセスされると多重伝送信号の制御データを読み取り、制御データに基づいて、前記ラッチングリレーを制御駆動する多重伝送信号処理部、前記ラッチングリレーの駆動電源及び各部の電源を多重伝送信号から得る電源回路からなる端末処理ブロックとを少なくとも分電盤協約型寸法の単位モジュールで形成した器体内に収納し、
前記器体の一端部には前記信号線を接続する信号線接続端子を設けるとともに、他端には前記ラッチングリレーの主開閉接点の両端が接続される対の負荷接続端子を前記器体内に収納される前記ラッチングリレーの数に対応して設け、
前記器体は、当該器体３方向の寸法のうち最小寸法となる方向において分割されて互いに突き合わせ、結合されるボディ及び第１のカバーと、前記ボディと前記カバーとを突き合わせた状態で表面側に形成される開口部に被着されるとともに、前記信号線接続端子を装着する端子配設部を備えた第２のカバーとで少なくとも構成され、
前記ボディと、前記第１のカバーとの間の収納空間に前記ラッチングリレー及び前記端末処理ブロックを収納し、
前記端未処理ブロックは、前記多重伝送信号受信回路、前記多重伝送信号処理部、及び前記電源回路を実装した伝送・制御用回路基板と、前記アドレス設定部を実装し前記伝送・制御用回路基板と連結される回路基板とで構成され、
前記回路基板は、前記開口部を通して、前記ラッチングリレー及び前記伝送・制御用回路基板が収納された前記収納空間に収納されて前記伝送・制御用回路基板と連結され、
前記第２のカバーは、前記回路基板が前記収納空間に収納された状態で前記開口部に被着されていることを特徴とする遠隔監視制御システムのリレー端末器。
【請求項２】
前記ボディと前記第１のカバーとの間に介装されることにより前記ボディ及び前記第１のカバーとともに器体を形成しかつ一面側が前記ボディとの間で収納空間を形成可能な形状に形成され他面側が前記第１のカバーとの間で収納空間を形成可能な形状に形成されたセパレータを少なくとも１個備え、複数組の端末処理ブロックおよびラッチングリレーがセパレータを介して配設されていることを特徴とする請求項１記載の遠隔監視制御システムのリレー端末器。
【請求項３】
前記ラッチングリレーは、前記伝送・制御用回路基板に実装されていることを特徴とする請求項１又は２記載の遠隔監視制御システムのリレー端末器。
【請求項４】
前記ラッチングリレーと前記収納空間の内周面との間の適所に前記ラッチングリレーの励磁コイルブロック収納部分に弾接する板ばねよりなる緩衝ばねが介装されていることを特徴とする請求項１乃至３の何れか記載の遠隔監視制御システムのリレー端末器。
【請求項５】
前記ラッチングリレーの出力用の端子と、負荷接続端子との間の接続を編組線により行うことを特徴とする請求項１乃至４の何れか記載の遠隔監視制御システムのリレー端末器。
【請求項６】
前記アドレス設定部をディップスイッチで構成し、該ディプスイッチの操作部を前記器体の表面に露出させて成ることを特徴とする請求項１乃至５の何れか記載の遠隔監視制御システムのリレー端末器。
【請求項７】
前記アドレス設定部は、前記アドレスを含む機能データを記憶保持するメモリと、前記メモリに書き込まれる機能データを含んだ外部からの信号を受信する受信手段とを備え、前記信号を受信すると前記メモリに機能データを記憶保持させることを特徴とする請求項１乃至５の何れか記載の遠隔監視制御システムのリレー端末器。
【請求項８】
前記ラッチングリレーの主開閉接点を手動で開閉する手動操作手段を器体表面に露出させることを特徴とする請求項１乃至７の何れか記載の遠隔監視制御システムのリレー端末器。
【請求項９】
前記ラッチングリレーの手動操作手段の移動に共動して主開閉接点の開閉状態を表示する表示手段を設けたことを特徴とする請求項８記載の遠隔監視制御システムのリレー端末器。
【請求項１０】
少なくとも前記負荷接続端子を速結端子で構成して成ることを特徴とする請求項１乃至９の何れか記載の遠隔監視制御システムのリレー端末器。
【発明の詳細な説明】
【０００１】
【発明の属する技術分野】
本発明は、遠隔制御監視システムに用いるリレー端末器に関するものである。
【０００２】
【従来の技術】
図４３は、この遠隔制御監視システムの基本的な概略構成を示しており、この従来例は、制御用端末器１と、操作用端末器２とを２線の信号線３を通じて伝送ユニット４に接続され、操作用端末器２及び制御用端末器１には各別にアドレスが設定されており、伝送ユニット４はアドレスによって各操作用端末器２及び各制御用端末器１を個別に認識する。操作用端末器２はスイッチＳＷ１…を備え、このスイッチＳＷ１…の操作により発生した割込信号を伝送ユニット４に伝送する。伝送ユニット４は割込信号を受信すると割り込みを要求している操作用端末器２を検索し、さらに検索した操作用端末器２とアドレスによって対応関係が予め設定されている制御用端末器１に対して制御データを伝送する。制御データを受け取った制御用端末器１では、接続されている磁気保持型のラッチングリレー５をスイッチＳＷ１…点の操作に対応させて駆動し、リレー５の主開閉接点を通じて電源に接続されている負荷をオン又はオフさせるようになっている。
【０００３】
ここで伝送ユニット４は信号線３に対して、図４４（ａ）に示すフォーマットの時分割多重伝送信号（以下伝送信号という）Ｖｓを送出する。すなわち、信号送出開始を示す同期信号ＳＹ、伝送信号Ｖｓのモードを示すモードデータＭＤ、端末器１，２を各別に呼び出すためのアドレスデータＡＤ、負荷（図４３の場合リレー５）を制御する制御データＣＤ、伝送誤りを検出するためのチェックサムデータＣＳ、端末器１，２からの返信信号を受信するタイムスロットである返信信号返信期間ＷＴよりなる双極性（±２４Ｖ）の時分割多重信号であり、パルス幅変調によってデータが伝送されるようになっている（図４４（ｂ））。端末器１，２では、それぞれ信号線３を介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返信期間ＷＴにデータを電流モード信号（信号線３を適当な低インピーダンスを介して短絡することにより送出される信号）として返信する。
【０００４】
伝送ユニット４から所望の端末器１，２にデータを伝送する場合には、モードデータＭＤを制御モードとし、端末器１，２のアドレスをアドレスデータＡＤとする伝送信号Ｖｓを送出し、この伝送信号Ｖｓを信号線３に送出すれば、アドレスデータＡＤに一致する端末器１，２が制御データＣＤを受け取り、制御データＣＤにパリティビットを付加した信号を信号返信期間ＷＴに返信する。伝送ユニット４では送出した信号と信号返信期間ＷＴにおける受信信号との一致によって制御データＣＤが所望の端末器１，２に伝送されたことを確認する。また、オ制御用端末器１や操作用端末器２は受け取った制御データＣＤに従って制御動作を行う。
【０００５】
一方、伝送ユニット４は常時はモードデータＭＤをダミーモードとして或いは常時ポーリングとしてダミー用のアドレスに又は接続されている全端末器のアドレスに伝送信号Ｖｓを一定時間間隔で送出しており、端末器１，２が伝送ユニット４に対して何らかの情報を伝送しようとするときには、ダミーモード或いはポーリング中の伝送信号Ｖｓの同期信号ＳＹに同期させて図４４（ｃ）のような割込信号を発生させる。このとき、端末器１，２は割込フラグを設定して伝送ユニット４との以後の情報授受に備える。伝送ユニット４では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した端末器１，２では、割込ポーリングモードの伝送信号のアドレスデータＡＤの上位４ビットが端末器１，２に設定されているアドレスの上位４ビットに一致するときに、信号返信期間ＷＴにアドレスの下位の半数のビットを伝送ユニット４に返信する。このように、伝送ユニット４は割込信号を発生した端末器１，２を１６個ずつまとめて探すので、比較的短い時間で端末器１，２を発見することができる。伝送ユニット４が割込信号を発生した端末器１，２のアドレスを獲得すると、モードデータＭＤを監視モードとし、獲得したアドレスデータＡＤを持つ伝送信号を信号線３に送出し、これに対して端末器１，２は伝送しようとする情報を信号返信期間ＷＴに返信するのである。最後に、伝送ユニット４は割込信号を発生した端末器１，２に対して割込リセットを指示する信号を送出し、端末器１，２の割込フラグを解除する。以上のようにして、端末器１，２から伝送ユニット４への情報伝送は、伝送ユニット４から端末器１，２への４回の信号伝送（ダミーモード、割込ポーリングモード、監視モード、割込リセット）によって完了する。伝送ユニット４が所望の端末器１，２の動作状態を知ろうとするときには、モードデータＭＤを監視データとした伝送信号を送出するだけでよい。
【０００６】
而して、伝送ユニット４では、操作用端末器２に設けたスイッチＳＷ１が操作されると、操作用端末器２から返信された監視データに基づいて、スイッチＳｂとの対応関係があらかじめ設定されている制御用端末器１に伝送する制御データを生成し、その制御データＣＤを含む伝送信号Ｖｓを信号線３に送出し、対応する制御用端末器１に制御データＣＤを伝送し、制御データＣＤに含まれるスイッチＳＷ１に対応せる負荷番号のリレー５を駆動して、その主開閉接点をオン又はオフさせることにより負荷をオン又はオフする。また、操作用端末器２に設けた別の操作スイッチＳＷ２が操作されると、前記のスイッチＳＷ１が操作されたときと同様に割込信号を送出し、伝送ユニット４の割り込みポーリングに応じてアドレス返信を行い、伝送ユニット４から割込み要求監視のアクセスに対応して操作スイッチＳＷ２の操作データを監視データとして伝送ユニット４へ返信する。
【０００７】
伝送ユニット４は割り込み処理後、スイッチＳＷ１に対応する負荷番号に対する制御データＣＤを対応する制御用端末器１をアクセスして伝送する。制御用端末器１は待機状態において、制御データＣＤを受信すると制御データの負荷番号に対応するリレー（図示せず）を上述と同様駆動する。
【０００８】
ここで１つのアドレスに対応して例えば４つの負荷番号を設定できるようにしておけば、４つのスイッチで夫々に対応する４つの負荷、図４３の場合には４つのリレー５を制御駆動できるようになっている。
【０００９】
また制御用端末器１はリレー５の動作状態を示す監視データを伝送ユニット４へ返信させるようになっており、伝送ユニット４はこの監視データに基づいて対応する操作用端末器２に対してリレー５の負荷番号に対応するスイッチＳＷ１…に付設している動作モニタ用のＬＥＤ１又はＬＥＤ２を点灯／消灯させる制御データＣＤを伝送し、この制御データＣＤを受け取った操作用端末器２では制御データに基づいて対応する負荷番号のスイッチに付設してある動作モニタ用のＬＥＤ１又はＬＥＤ２を点灯又は消灯させることにより、対応リレー５の動作状態、つまりオン又はオフ状態を表示する。
【００１０】
図４３の遠隔監視制御システムでは伝送ユニット１を中心として伝送信号により、各端末器１、２の監視制御を行うとともに、複極の伝送信号Ｖｓを各端末器１、２において整流することにより各端末器１、２内の動作電源を得るようになっている。一方リレー５は外付けのトランス６に電源を得るようになっていた。
【００１１】
【発明が解決しようとする課題】
前記のように前記の制御用端末器１では、リレー５を駆動する電源をトランス６により得るため制御用端末器１と、リレー５及びトランス５とが分離され、これらを分電盤内に配設する場合に、取り付けスペースの確保と、これらを接続するための結線が複雑になるという問題があった。
【００１２】
本発明は、上述の問題点に鑑みて為されたもので、その目的とするところは、分電盤への取り付けが容易な遠隔監視制御システムのリレー端末器を提供するにある。
【００１３】
【課題を解決するための手段】
前記目的を達成するために請求項１の発明では、伝送ユニットに端末器を信号線を介して接続し、伝送ユニットから伝送される多重伝送信号により端末器のアドレスをアクセスして伝送ユニットから制御用のデータを当該アドレスの端末器に伝送するとともに、多重伝送信号に設けられた返信信号返信期間において当該アドレスの端末器から監視用のデータを伝送ユニットに返信させることにより端末器の遠隔監視制御を行う遠隔監視制御システムに用いられ、１乃至複数の１回路用のラッチングリレーと、前記伝送ユニットからの多重伝送信号を受信するとともに返信信号を送信する多重伝送信号送受信回路、アドレス設定部、受信する多重伝送信号により前記アドレス設定部で設定されたアドレスがアクセスされると多重伝送信号の制御データを読み取り、制御データに基づいて、前記ラッチングリレーを制御駆動する多重伝送信号処理部、前記ラッチングリレーの駆動電源及び各部の電源を多重伝送信号から得る電源回路からなる端末処理ブロックとを少なくとも分電盤協約型寸法の単位モジュールで形成した器体内に収納し、前記器体の一端部には前記信号線を接続する信号線接続端子を設けるとともに、他端には前記ラッチングリレーの主開閉接点の両端が接続される対の負荷接続端子を前記器体内に収納される前記ラッチングリレーの数に対応して設け、前記器体は、当該器体３方向の寸法のうち最小寸法となる方向において分割されて互いに突き合わせ、結合されるボディ及び第１のカバーと、前記ボディと前記カバーとを突き合わせた状態で表面側に形成される開口部に被着されるとともに、前記信号線接続端子を装着する端子配設部を備えた第２のカバーとで少なくとも構成され、前記ボディと、前記第１のカバーとの間の収納空間に前記ラッチングリレー及び前記端末処理ブロックを収納し、前記端未処理ブロックは、前記多重伝送信号受信回路、前記多重伝送信号処理部、及び前記電源回路を実装した伝送・制御用回路基板と、前記アドレス設定部を実装し前記伝送・制御用回路基板と連結される回路基板とで構成され、前記回路基板は、前記開口部を通して、前記ラッチングリレー及び前記伝送・制御用回路基板が収納された前記収納空間に収納されて前記伝送・制御用回路基板と連結され、前記第２のカバーは、前記回路基板が前記収納空間に収納された状態で前記開口部に被着されていることを特徴とする。
【００１５】
請求項２の発明では、請求項１の発明において、前記ボディと前記第１のカバーバーとの間に介装されることにより前記ボディ及び前記第１のカバーバーとともに器体を形成しかつ一面側が前記ボディとの間で収納空間を形成可能な形状に形成され他面側が前記カバーとの間で収納空間を形成可能な形状に形成されたセパレータを少なくとも１個備え、複数組の端末処理ブロックおよびラッチングリレーがセパレータを介して配設されていることを特徴とする。
【００１６】
請求項３の発明では、請求項１又は２の発明において、前記ラッチングリレーは、前記伝送・制御用回路基板に実装されていることを特徴とする。
【００１７】
請求項４の発明では、請求項１乃至３の何れかの発明において、前記ラッチングリレーと前記収納空間の内周面との間の適所に前記ラッチングリレーの励磁コイルブロック収納部分に弾接する板ばねよりなる緩衝ばねが介装されていることを特徴とする。
【００１８】
請求項５の発明では、請求項１乃至４の何れかの発明において、前記ラッチングリレーの出力用の端子、負荷接続端子との間の接続を編組線により行うことを特徴とする。
【００１９】
請求項６の発明では、請求項１乃至５の何れかの発明において、前記アドレス設定部をディップスイッチで構成し、該ディプスイッチの操作部を前記器体の表面に露出させて成ることを特徴とする。
【００２０】
請求項７の発明では、請求項１乃至５の何れかの発明において、前記アドレス設定部は、前記アドレスを含む機能データを記憶保持するメモリと、前記メモリに書き込まれる機能データを含んだ外部からの信号を受信する受信手段とを備え、前記信号を受信すると前記メモリに機能データを記憶保持させることを特徴とする。
【００２１】
請求項８の発明では、請求項１乃至７の何れかの発明において、前記ラッチングリレーの主開閉接点を手動で開閉する手動操作手段を器体表面に露出させことを請求項９の発明では、請求項１乃至８の何れかの発明において、前記ラッチングリレーの手動操作手段の移動に共動して主開閉接点の開閉状態を表示する表示手段を設けたことを特徴とする。
【００２２】
請求項１０の発明では、請求項１乃至９の何れかの発明において、少なくとも前記負荷接続端子を速結端子で構成して成ることを特徴とする。
【００２３】
【発明の実施の形態】
以下本発明を実施形態により説明する。
（実施形態１）
図１は１回路両切り型のラッチングリレーを１つ組み込んだ本実施形態の分解斜視図を示しており、図示するように器体１０はＪＩＳＣ８３７０−１９９６の付属書５電灯分電盤用協約型配線用遮断器の規定で示される単位寸法（ＢＡＫモジュールの１個モジュール寸法）に形成されたもので、図１に示すように、器体１０は直交する３方向の寸法のうち最小寸法の方向（以下では幅方向という）において分割され、その一方側のボディ１１と他方側の第１のカバー１２と、カバ−１２とボディ１１とを突き合わせた状態で表面（前面）側に形成される開口部に被せるための第２のカバー１３とで構成されており、ボディ１１とカバー１２とを分離した状態で器体１０の内部がもっとも広く開放されるようにボディ１１とカバー１２との分割方向が決められている。このような分割方向を選択することにより、器体１０への部品の組み付け作業が容易になるのである。ボディ１１とカバー１２とは４本のかしめ鋲１５を用いて結合される。かしめ鋲１５はボディ１１およびカバー１２に形成された貫通孔３２に挿通された後にかしめられる。
【００２４】
図２に示すように、器体１０の長手方向（図２（ｂ）の左右方向）の一端部には信号線３を接続する一対の信号線接続端子１６が露出するように設けられ、他端部には負荷及び電源が接続される２組の負荷接続端子１９が露出するように設けられる。信号線接続端子１６および負荷接続端子１９はそれぞれねじ付き端子であって、端子板３３ａ，３３ｂおよび端子板３３ａ，３３ｂにそれぞれ螺合する端子ねじ３４を備える。一対の信号線接続端子１６の間には絶縁用の隔壁１７’が配置され、また、負荷接続端子１９も２個ずつが絶縁用の隔壁体１７により分離されている。負荷接続端子１９は同じ接点に接続されるもの同士が図２（ａ）及び図９に示すように上下に階段状に段差もたして配列される。この段差を持たせることにより、端子配置の省スペース化を図るとともに端子ねじ３４のねじ締めに対しても影響を与えないようにしてある。勿論端子配置位置を左右にずらすなど，配置を変更すれば施工時の作業性も向上する。
【００２５】
カバー１３は一端部に前記信号線接続端子１６、１６を取着する取着部を設け、結合されるボディ１１、カバー１２の表面側の中央部から一端部にかけて形成される開口窓３５に被着され、取着部に取着した信号線接続端子１６，１６を、ボディ１１の一端部の側壁と、カバー１２の一端部の側壁との間に形成され器体１０外部に開口するとともに器体１０内に連通せる端子配設部１４に配置するようになっている。
【００２６】
器体１０の他端部にはボディ１１の他端部の側壁と、カバー１２の他端部の側壁との間に形成され、器体１０外部に開口するとともに器体１０内に連通した空間を隔壁体１７で左右に仕切った端子配設部１８を設け、この端子配設部１８のボディ１１の他端部側壁の内側面と隔壁体１７の対向面との間、カバ−１２の他端部側壁の内側面と、隔壁体１７の対向面との間に夫々前記負荷接続端子１９、１９を隔離配設してある。隔壁体１７はボディ１とカバー１２との間に装着される。
【００２７】
器体１０の内部には、１回路両切り型のラッチングリレー２５および図３に示す端末処理ブロックが納装される。ラッチングリレー２５は図４に示すように器体１０の幅方向および長手方向に直交する方向（以下では上下方向という）の両側面に負荷接続端子１９の端子板３３ｂにそれぞれ平編組銅線からなる接続線３６を介して接続される出力用端子を構成する端子片３７を備える。端子片３７はラッチングリレー２５の２個の接点ブロック２５Ｂ内に設けた主開閉接点Ｓに接続されている。また、端子片３７は、器体１０にラッチングリレー２５を組み込んだ状態で、ボディ１１とカバー１２との分割面に直交する方向に延長された部分と前記分割面に平行になる向きに折曲された部分とを有する略Ｌ形に形成されている（図５参照）。接続線３６は、一端部が端子板３３ｂに半田または溶接によって接続され、他端部がかしめ板４１にかしめられ、該かしめ板４１を端子片３７に半田または溶接することにより接続される。
【００２８】
端末処理ブロックは図３に示す回路構成からなり、ラッチングリレー２５およびラッチングリレー２５のリレー駆動回路２０、多重伝送信号受信回路２１、多重伝送信号処理部２２、電源回路２３、状態監視回路２４を実装した伝送・制御用回路基板３１と、アドレス設定部２６を構成するディップスイッチ２７ａ，２７ｂを実装した回路基板３０とからなり、回路基板３１と回路基板３０とは回路基板３１の基板面に平行するように基板端部より突出させた端子群２８を回路基板３０の基板面に開口した挿入孔群２９に挿入して互いに電気的に接続されるとともに直交する形で連結されている。ここに、回路基板３０は器体１０内において図２（ａ）における上部側に配置され、回路基板３１は信号線接続端子１６に近い部位に位置するように図２（ａ）における右側に配置される。ラッチングリレー２５は回路基板３１に対してはリセットコイルやセットコイルに接続された制御用端子が半田付け固定され，図１０（ａ）（ｂ）に示すようにラッチングリレー２５と回路部とが密着することとなる。器体１０内に後述するように組み込んだ後に、回路基板３０を取り付けることができるようし，組み立て性の向上を図っている。またラッチングリレー２５が寿命となって交換が必要な場合に回路基板３０側を流用することができるようにしてある。また後述するような光ワイヤレス信号等を用いてＥＥＰＲＯＭからなるアドレス設定部２６を用いる場合の信号入力手段を実装している基板と交換することも容易にできる。
【００２９】
図１１（ａ）（ｂ）はカバー１３を取り外した状態を示しており、この図示している状態は未だ回路基板３０を取り付けていない組み立て途中で、回路基板３０を取り付けていないため組み立て作業性が良い。
【００３０】
勿論回路基板３０を回路基板３１に半田付けしてブロック化する構造でも良い。尚信号線３が接続される信号線接続端子１６は回路基板３１に対してリード線４８で接続される。
【００３１】
本実施形態は端末処理ブロックのアドレスおよび負荷番号を回路基板３０に実装したディップスイッチ２７ａ、２７ｂで設定するように構成してあり、アドレスは６ビット、負荷番号は２ビットで設定される。器体１０においてディップスイッチ２７ａ，２７ｂに対応する部位には、図９に示すように、器体１０の表面（前面）の開口窓３５に被着されるカバー１３に形成した開口窓４５ａ、４５ｂが形成され回路基板３０に実装したディップスイッチ２７ａ、２７ｂの操作部が器体１０の外面側に露出するようにしてある。
【００３２】
ところで、ラッチングリレー２５には図５に示すように、主開閉接点の開閉に連動して往復移動する手動操作片３８が突設されており、この手動操作片３８は主開閉接点Ｓが開閉するのに伴って移動するだけではなく、手動操作片３８を移動させれば接点が開閉するようになっている。手動操作片３８の先端は表示シート４０の窓孔４０ａに挿通され、更に前記カバー１３に設けた開口窓３９より外部に対して露出する。しかして、手動操作片３８を操作すればラッチングリレー２５の主開閉接点Ｓを強制的に開閉することができ、また、ラッチングリレー２４の主開閉接点の開閉状態に応じて手動操作片３８とともに表示シート４０が動き、図６（ａ）に示すように表示シート４０の端部に夜間でも視認可能な蛍光塗料等で着色（たとえば、赤色）した表示部位４０ｂが図６（ｃ）に示すように開口窓３５から見える位置（オン位置）と図６（ｂ）に示すように見えない位置（オフ位置）との間で移動する。ラッチングリレー２５に手動操作によって主開閉接点Ｓを開閉することができる手動操作片３８を設けたことにより、遠隔監視制御システム系に電源が供給されずシステムダウン状態においても主開閉接点Ｓに接続されている負荷をオンオフさせることができる。その結果、たとえば壁スイッチの施工前に試験的に照明負荷の点灯・消灯を操作するというような場合に対応が可能になる。尚カバー１３の開口窓３５及び４５ａ，４５ｂを形成した表面部には銘板４６が貼着しており、この銘板４６には開口窓３５及び４５ａ，４５ｂに対応する窓４６ａ〜４６ｃを形成してある。
【００３３】
ところで、回路基板３１に取り付けられたラッチングリレー２５を器体１０の中の定位置に固定するするには板ばねよりなる緩衝ばね４２を用いている。緩衝ばね４２はラッチングリレー２５の下面と器体１０のリブ４７との間に配置され、ラッチングリレー２５に弾接する。ラッチングリレー２５の背面には位置決めリブ４３が突設されており、緩衝ばね４２には位置決めリブ４３が挿入される長孔状の位置決めスリット４４が形成されている（図７参照）。
【００３４】
しかして、器体１０にラッチングリレー２５を組み込む際には、図８（ａ）〜（ｃ）に示すような手順になり、図８（ｂ）の状態において緩衝ばね４２の位置決めスリット４４をラッチングリレー２５の位置決めリブ４３に係合させた状態で、図８（ｃ）のように器体１０のリブ４７とラッチングリレー２５との間に圧入すればよい。この構成によって、ラッチングリレー２５は緩衝ばね４２のばね力によって器体１０の内周面に押し付けられ、器体１０の定位置に固定される。
【００３５】
つまり、器体１０の内部空間とラッチングリレー２５との寸法精度の管理が容易になるとともに、組立作業においてもねじ締めなどが不要であって作業工程が簡単になるのである。ここでラッチングリレー２５は励磁コイル部と、主開閉接点部とをブロック化して結合する構成であり、緩衝ばね４２の弾発によって固定される側を開閉音の発生しない励磁コイルブロック２５Ａ側とし、開閉音が駆動時に発生する主開閉接点部を収納している主開閉接点ブロック２５Ｂ，２５Ｂ側を固定しないようにして、開閉音が直接ボディ１１、カバー１２に伝わらないないように構成してある。
【００３６】
上述の構成によって、図２に示すような遠隔制御用リレー端末器１’を構成することができる。尚図１中４９はボディ１１の外側面に貼着する銘板、５０はカバー１２の外側面に貼着する銘板である。
【００３７】
上述した遠隔制御用リレー端末器１’は、図１２に示すように、伝送ユニット４に接続された２線式の信号線３を信号線接続端子１６に接続する形で使用される。つまり、信号線３に対して複数個の遠隔制御用リレーユニット１’が分岐接続（ないしバス接続）されるのである。信号線３には図示していないが、図４３に示したように、操作用端末器２を信号線３に接続し、操作用端末器２との間でアドレスによる対応関係を設定しておけば、スイッチＳＷ１…の操作によってラッチングリレー２５の開閉を制御することができる。つまり、負荷接続端子１９に照明負荷等の負荷を電源を介して接続しておけば、スイッチＳＷ１…の操作によって負荷のオン・オフを制御することができる。
【００３８】
本実施形態によれば、負荷制御用のラッチングリレー２５と、伝送信号Ｖｓに基づいてラッチングリレー２５を制御する端末処理ブロックとを１つの器体１０に納装しているから、リレー及びトランスを用いて負荷を制御する従来例に比べて省スペース化が可能になるとともに、配線数を大幅に削減することができるのである。
【００３９】
ここで端末処理ブロックのラッチングリレー２５のリレー駆動回路２０、多重伝送信号受信回路２１、多重伝送信号処理部２２、電源回路２３、状態監視回路２４を実装した伝送・制御用回路基板３１と、アドレス設定部２６の機能について概略的に説明する。
【００４０】
ラッチングリレー２５は２巻線の磁気保持型ラッチングリレーからなり、リレー駆動回路２０によりセットコイル又はリセットコイルに１ショットで励磁電流が流れると、反転動作して、主開閉接点Ｓを現在の状態から反転動作させ、その動作状態を励磁電流が無くなっても永久磁石により保持し、この永久磁石の保持状態を解除する方向の励磁電流がセットコイル又はリセットコイルに流れると反転動作を行い、その動作状態を保持するものであり、実施形態のラッチングリレー２５は主開閉接点Ｓの開閉容量が例えば２０Ａのように大電流に対応するようになっており、２つの主開閉接点ブロック２５Ｂ、２５Ｂに夫々１回路の主開閉接点部を備えて全体で１回路両切り型のラッチングリレーを構成している。
【００４１】
電源回路２３は伝送信号Ｖｓを整流して回路部の電源を得るとともに、ラッチングリレー２５の駆動電源を得るためのものである。多重伝送信号送受信回路２１は伝送信号Ｖｓを受信して多重伝送信号処理部２２へ送るとともに、多重伝送信号処理部２２からの返信データに基づいて所定のインピーダンスを介して信号線３を短絡し、電流モードの返信信号を送信する機能を持つ。多重伝送信号処理部２２はアドレス設定部２６の設定アドレス及び設定負荷番号に一致するアドレスデータＡＤを持つ伝送信号Ｖｓが受信されると制御データＣＤを取り込み、制御データＣＤに基づいてリレー駆動回路２０を通じてラッチングリレー２５を動作させる。またラッチングリレー２５の動作データを状態監視回路２４を通じて取り込み、監視データとして多重伝送信号送受信回路２１より返信信号により返信させる機能を備えている。
【００４２】
ところで負荷接続端子１９、１９は電源が接続されるため，人が触れることができないように図１３に示す透明な樹脂製の端子カバー５１で図１４（ａ）（ｂ）に示すように負荷接続端子１９、１９の配置部位を被蔽するようにしても良い。この場合端子カバー５１の一端部の両側より突出せる突起５１ａをボディ１１とカバー１２に夫々形成した係止凹部５２に係止させるとともに、ボディ１１とカバー１２に対向突設した小突起５３で端子カバー５１を押さえるようにして端子カバー５１を固定するようになっている。
【００４３】
（実施形態２）
前記実施形態１では負荷接続端子１９としてねじ締め型の端子を用いているが図１５，図１６に示すように鎖錠ばね５４と、端子板５５とで構成される速結端子を用いても良い。この速結端子は隔壁体１７に設けたカバー部１７ａに形成せる電線挿入孔５６より挿入される電線の芯線を鎖錠ばね５４と端子板５５の間で鎖錠して電気的機械的に接続固定するもので、接続状態を解除するには解除釦５８を窓孔５７を介して外部よりドライバーなどの治具で押すことにより、解除釦５６で鎖錠ばね５４を撓ませ、端子板５５との鎖錠状態を解除することにより行う。
【００４４】
（実施形態３）
本実施形態は、図１７乃至図１９に示すように、ラッチングリレー２５として１つの主開閉接点ブロック２５Ｂを持つ片切り型のものを用いた点で実施形態１と相違するものである。すなわち、負荷と電源との間の給電経路の１箇所にのみ接点を挿入するものであり、いわゆる片切型の構成を備える。本実施形態の場合には負荷接続端子１９は２個設けられることになる。他の構成および動作は実施形態１と同様であるので説明は省略する。
【００４５】
尚実施形態２の端子構成を用いても勿論良い。
【００４６】
（実施形態４）
上述した各実施形態の制御用リレー端末器１’を分電盤などの定位置に固定する際には、図２０に示す形状の取付ベース６０を用いる。また、器体１０としては、長手方向の一端面の下部に固定凹所６１が形成され、長手方向の他端面の下部に示すような固定孔６２が形成されたものを用いる。固定孔６２の中には平型の接続端子片６３が挿入接続される端子６４が配設される。この端子６４はファストン端子として知られているものであり、信号線接続端子１６に対してリード線４８を用いて接続されている。つまり、器体１０には信号線３に接続される信号線接続端子１６と、信号線接続端子１６に電気的に接続された端子６４とが設けられることになる。
【００４７】
取付ベース６０は大部分が板金を用いて形成されており、単位寸法の１個の器体１０に対して１組の接続端子片６３および固定爪６５を備えた構成を有する。固定爪６５は上述した固定凹所６１に係合する。つまり、接続端子片６３が固定孔６２の中に配置された端子６４に挿入され、かつ固定爪６５が固定凹所６１に係合することによって、接続端子片６３と固定爪６５との間で器体１０を保持することができる。固定爪６５は弾性を有する金属線材を用いて形成されたレバー体６６の一部に設けたものであり、レバー体６６の撓みを利用して器体１０の固定凹所６１に対して固定爪６５を係脱することができるようになっている。接続端子片６３と固定爪６５との間には複数箇所で載置片６７が設けられており、図２１（ａ）に示すように接続端子片６３を固定孔６２に挿入した後、図２１（ｂ）に示すように器体１０を載置片６７の上に載せるように取付ベース６０に向かって押し付けると、固定爪６５が固定凹所６１に係合し、取付ベース６０に器体１０が固定されるのである。
【００４８】
ところで、取付ベース６０に設けた接続端子片６３は、図２２に示すように、合成樹脂のような絶縁材料よりなる突台６７から横方向に突設されており、取付ベース６０の他の部位とは絶縁されている。また、上述した端子６４は２個設けられており、各端子６４に対応するように接続端子片６３も２個設けられている。さらに、取付ベース６０は複数個の器体１０を並設することができるように、上述した構成のものを単位構成として複数個が連結された形になっている。つまり、隣接する単位構成のものが薄肉の切り離し溝６０ａを介して結合されており、さらに接続端子片６３同士も薄肉の切り離し部６８ａを備えた導電板６８によって電気的に接続されている。このように、単位構成のものが機械的強度を他の部位よりも小さくした切り離し溝６０ａや切り離し部６８ａを介して連結されているのである。したがって、上述した単位構成を多数個連結した状態で取付ベース６０を供給し、器体１０を並設する個数に応じて取付ベース６０を適宜箇所で切り離して用いることができる。また、隣接する器体１０の端子６４に接続される接続端子片６３同士を導電板６８を介して電気的に接続しているから、伝送線Ｌｓの送り配線を導電板６８を用いて行なうことができることになる。つまり、端子１６に信号線３を接続して送り配線を行なうのではなく、導電板６８を介して送り配線を行なうから、送り配線について結線作業が不要であり、結果的に配線施工が容易になる。
【００４９】
要するに、接続端子片６３は器体１０を取付ベース６０に機械的に固定する機能と、信号線３に電気的に接続されることを利用して送り配線の省力化を行な  う機能とを備えるのである。なお、導電板６８は切り離し部６８ａを除いて絶縁材によって覆ってあり、異物の付着などによる信号線３の短絡を防止している  。
【００５０】
（実施形態５）
上述した各実施形態では、１個モジュール寸法の器体１０に１個のラッチングリレー２５を納装した例を示したが、上述のように負荷番号を指定することにより、同じアドレスで４個まで負荷を制御することが可能であるから、１つの器体１０に４個のラッチングリレー２５を納装することが考えられる。本実施形態はこのような要求に対応するものであり、図２３乃至図２６に示すように、図１に示した実施形態１と同様の両切り型のラッチングリレー２５を用いた構成を基本構成とし、ボディ１１とカバー１２との間にセパレータ７０を介在させることで、器体１０の寸法を拡張したものである。
【００５１】
セパレータ７０は、ボディ１１との対向面側がボディ１１とともにラッチングリレー２５の収納空間を形成できる形状に形成され、カバー１２との対向面側がカバー１２とともにラッチングリレー２５の収納空間を形成できる形状に形成されている。したがって、セパレータ７０同士の間にもラッチングリレー２５の収納空間を形成することができる。このような形状のセパレータ７０を用いると、セパレータ７０を設けた数だけ器体１０に設けるラッチングリレー２５の個数を増加させることができる。ただし、負荷番号は２ビットであるから、ラッチングリレー２５を１つの器体１０の中に設ける個数は４個を最大とする。
【００５２】
ここで１つの端末処理ブロックのリレー駆動回路２０は破線で示す分を含めて計４個のラッチングリレー２５を制御することができる。そこで、セパレータ７０には回路基板３０に対応する部位にセパレータ７０の両面に貫通した切欠部７１を形成している。この切欠部７１は開口窓１７に対応する部位に形成されている。しかして、回路基板３０として器体１０の中のすべての収納空間（各ラッチングリレー２５を収納する空間）に跨がる寸法を有したものを用い、各収納空間に配置された回路基板３１の端子群２８を夫々に対応して設けた挿入孔群２９に接続して電気的に接続を行なう。この構成を採用すれば、個々の収納空間に回路基板３０を配置する場合よりも組立作業が容易になるのである。
【００５３】
またカバー１３も各器体１０の中のすべての収納空間（各ラッチングリレー２５を収納する空間）に跨がる寸法に対応したものを用い、一対の信号線接続端子１６、１６を取着し、また各ラッチングリレー２５の手動操作片３８を露出させる開口窓３９を設け、更に回路基板３０に実装しているアドレス設定部２６を構成するディップスイッチ２７ａの操作部を露出させる開口窓４５ａを開口している。また銘板４６も各器体１０の中のすべての収納空間（各ラッチングリレー２５を収納する空間）に跨がる寸法を有したものを用い、各ラッチングリレー２５の手動操作片３８を露出させる窓４６ａ、及びディップスイッチ２７ａの操作部を露出させる窓４６ｂを開口して有る。
【００５４】
ところで、本実施形態では４回路分のラッチングリレー２５を設けているから、負荷番号の選択が不要になっている。したがって、ディップスイッチはアドレスの設定用のみになり、信号線３を接続する信号線接続端子１６も４回路で共通になり、１対だけ設けてある。
【００５５】
尚その他の構成は基本的には実施形態１と同じであるから，同じ部材には同じ番号，記号を付し説明は省略する。図２５はカバー１２を外した状態を示す図であり、図２６は更に隔壁体１７を外した状態を示す図である。
【００５６】
而して本実施形態の構成を採用すれば、任意個数のラッチングリレー２５を器体１０に収納することができ、しかもラッチングリレー２５の個数にかかわらず同形状のセパレータ７０を用いることができる。つまり、部品の共用化によって部品コストを低減することができる。
【００５７】
端子構成として実施形態２の構成を、また分電盤取り付け構成を実施形態４の構成を採用しても良い。
【００５８】
（実施形態６）
本実施形態は、図２７、図２８に示すように、実施形態５の構成を実施形態３と同様の片切り型のラッチングリレー２５を用いたもので、４回路分のラッチングリレー２５を器体１０に納装してある。他の構成は実施形態５と同様であり、同一符号を付した部材は同様の機能を有するものである。
【００５９】
また端子構成として実施形態２の構成を、また分電盤取り付け構成を実施形態４の構成を採用しても良い。
【００６０】
（実施形態７）
ところで、上述した各実施形態では、アドレスおよび負荷番号をディップスイッチにより設定していたが、ＥＥＰＲＯＭのような書き換え可能な不揮発性メモリをアドレス設定部２６として用い、外部よりアドレス、負荷番号以外に、個別制御、パターン制御、グループ制御などの制御機能データも設定登録できるようにしたのが本実施形態である。
【００６１】
本実施形態は実施形態１と同様に１個の両切型のラッチングリレー２５を１個モジュールの器体１０内に収納したもので、端末処理ブロックとしては、図２９に示すようにＥＥＰＲＯＭからなるアドレス設定部２６と、このアドレス設定部２６に機能データを書き込んだり、メモリに書き込まれている機能データを読み出すために、光ワイヤレス信号を送受信するためのワイヤレス信号送受信回路部８０を設けてあり、多重伝送信号処理部２２は外部の設定器８１から光ワイヤレス信号を受信すると設定器８１からの指示に応じて、アドレス設定部２６に機能データを書き込んだり、書き込まれている機能データを設定器８１に返送したりする。つまり、設定器８１からの光ワイヤレス信号は、登録モード、確認モード、修正モードがあり、登録モードでは機能データをアドレス設定部２６に書き込むことを指示し、確認モードでは機能データを読み出して設定器８１に表示させ、修正モードでは機能データを読み出して設定器８１に表示させた後に別の機能データに修正してアドレス設定部２６に書き込むことを指示する。
【００６２】
本実施形態ではアドレス設定部２６を構成するＥＥＰＲＯＭは回路基板３１に実装され、ワイヤレス信号送受信回路８０を構成する発光素子ＬＥＤａや受光素子ＰＤを回路基板３０に実装して図３０、図３１に示すようにディップスイッチに代えてカバー１３に形成した開口部８２を通じて銘板４６の窓４６ｄに望ませてある。また。ワイヤレス信号送受信回路８０には光ワイヤレス信号を受信したことを発光表示させる発光素子ＬＥＤｂもカバー１３に形成した開口部８２を通じて銘板４６の窓４６ｅに臨ませてある。
【００６３】
このような構成を採用すれば、アドレスや負荷番号の設定はもちろんのこと、上述した各種機能の設定も光ワイヤレス信号を用いて行なうことができるから、同種製品を各種機能に共用することができ、しかもディップスイッチを操作する場合に比較すると、設定作業が容易になるのである。
【００６４】
尚その他の構成は実施形態１と同じである。また端子構成として実施形態２の構成を、また分電盤取り付け構成を実施形態４の構成を採用しても良い。
（実施形態８）
本実施形態は、実施形態３と同様の片切り型のラッチングリレー２５に適用した１回路型のもので、片切り型のラッチングリレー２５に対応して図３２に示すように１対の負荷接続端子１９、１９を設けてある。ワイヤレス信号送受信回路８０周りの構成は実施形態７と同様であり、その他の構成は実施形態３と同じである。
【００６５】
尚端子構成として実施形態２の構成を、また分電盤取り付け構成を実施形態４の構成を採用しても良い。
（実施形態９）
上述した実施形態７、８では、１個モジュール寸法の器体１０に１個のラッチングリレー２５を納装した例を示したが、本実施形態は、実施形態７と同様の両切り型のラッチングリレー２５を４個、４個モジュール寸法の１つの器体１０に納装した４回路用のもので、図３３，図３４に示すようにワイヤレス信号送受信回路８０周りの構成は実施形態７と同様であり、その他の構成は実施形態５と同じである。本実施形態の場合、アドレス設定部２６にＥＥＰＲＯＭを用いるため各ラッチングリレー２５毎に同一アドレスにおける負荷番号を割り付けるのではなく、異なるアドレスを設定することができる。
（実施形態１０）
上述した実施形態９では、両切り型のラッチングリレー２５を４個、４個モジュール寸法の１つの器体１０に納装した４回路用のものであるが、本実施形態は片切り型のラッチングリレー２５を４個、４個モジュール寸法の１つの器体１０に納装した４回路用のものであり、図３５に示すようにワイヤレス信号送受信回路８０周りの構成は実施形態７と同様であり、その他の構成は実施形態６と同様である。
【００６６】
本実施形態の場合も、アドレス設定部２６にＥＥＰＲＯＭを用いるため各ラッチングリレー２５毎に同一アドレスにおける負荷番号を割り付けるのではなく、異なるアドレスを設定することができる。
【００６７】
尚端子構成として実施形態２の構成を、また分電盤取り付け構成を実施形態４の構成を採用しても良い。
【００６８】
（実施形態１１）
前記各実施形態３或いは６（同様に実施形態８、１０）では片切り型のラッチングリレー２５を用いているため、１個のラッチングリレー２５に対して負荷接続端子１９は２個設けられた構成であるが、隔壁体１７においては、両切り型のラッチングリレー２５に対応して４個の負荷接続端子１９を設けることができるようになっている。
【００６９】
そこで片切り型のラッチングリレー２５を用いた場合に、余る端子取付スペースを送り端子の取り付けスペースとして用いるようにしたのが本実施形態である。
【００７０】
図３６〜図３８に示すものは実施形態３の構成を基本構成として、図示するように送り端子９０、９０’を設けたもので、下段側に設けられる端子が負荷接続端子１９、１９であり、上段側に設けられる端子が送り端子９０、９０’であり、一方の送り端子９０’と負荷接続端子１９は夫々の端子ねじ３４が締結される端子板３３ｂ同士が連結片９１で一体連結されたものを用いてある。
【００７１】
図３９、図４０に示すものは実施形態６の構成を基本構成として、図示するように送り端子９０、９０’を設けたもので、各ラッチングリレー２５に対応する端子配置部において下段側に設けられる端子が負荷接続端子１９、１９であり、上段側に設けられる端子が送り端子９０、９０’であり、前記の場合と同様に一方の送り端子９０’と負荷接続端子１９は夫々の端子ねじ３４が締結される端子板３３ｂ同士が連結片９１で一体連結されたものを用いる。
【００７２】
このようにして構成される本実施形態は、送り端子９０、９０’を設けることにより、結線作業の向上を図ることができる。
【００７３】
尚本実施形態の構成は実施形態８、１０の実施形態に用いることができる。
【００７４】
（実施形態１２）
前記実施形態７〜１１では光ワイヤレス信号を用いてデータ設定を行うようにしているが、図４１に示すようにワイヤード信号を送受信する送受信回路８３を備え、ワイヤード設定器８５からの伝送信号線８６のプラグ８７を図４２に示すように器体１０の表面に設けたプラグさし込み口８４にさし込むことによりワイヤード設定器８５との間でデータの授受を行えるようにしたものである。本実施形態の構成を用いれば、近接する端末器に影響を与えることなくデータ設定ができる。勿論片切，両切の何れのラッチングリレーを用いても良く，また４回路型にも適用しても良く，更に実施形態７〜１１の構成に併設するようも良い。
【００７５】
【発明の効果】
請求項１の発明は、伝送ユニットに端末器を信号線を介して接続し、伝送ユニットから伝送される多重伝送信号により端末器のアドレスをアクセスして伝送ユニットから制御用のデータを当該アドレスの端末器に伝送するとともに、多重伝送信号に設けられた返信信号返信期間において当該アドレスの端末器から監視用のデータを伝送ユニットに返信させることにより端末器の遠隔監視制御を行う遠隔監視制御システムに用いられ、１乃至複数の１回路用のラッチングリレーと、前記伝送ユニットからの多重伝送信号を受信するとともに返信信号を送信する多重伝送信号送受信回路、アドレス設定部、受信する多重伝送信号により前記アドレス設定部で設定されたアドレスがアクセスされると多重伝送信号の制御データを読み取り、制御データに基づいて、前記ラッチングリレーを制御駆動する多重伝送信号処理部、前記ラッチングリレーの駆動電源及び各部の電源を多重伝送信号から得る電源回路からなる端末処理ブロックとを少なくとも分電盤協約型寸法の単位モジュールで形成した器体内に収納し、前記器体の一端部には前記信号線を接続する信号線接続端子を設けるとともに、他端には前記ラッチングリレーの主開閉接点の両端が接続される対の負荷接続端子を前記器体内に収納される前記ラッチングリレーの数に対応して設け、前記器体は、当該器体３方向の寸法のうち最小寸法となる方向において分割されて互いに突き合わせ、結合されるボディ及び第１のカバーと、前記ボディと前記カバーとを突き合わせた状態で表面側に形成される開口部に被着されるとともに、前記信号線接続端子を装着する端子配設部を備えた第２のカバーとで少なくとも構成され、前記ボディと、前記第１のカバーとの間の収納空間に前記ラッチングリレー及び前記端末処理ブロックを収納し、前記端未処理ブロックは、前記多重伝送信号受信回路、前記多重伝送信号処理部、及び前記電源回路を実装した伝送・制御用回路基板と、前記アドレス設定部を実装し前記伝送・制御用回路基板と連結される回路基板とで構成され、前記回路基板は、前記開口部を通して、前記ラッチングリレー及び前記伝送・制御用回路基板が収納された前記収納空間に収納されて前記伝送・制御用回路基板と連結され、前記第２のカバーは、前記回路基板が前記収納空間に収納された状態で前記開口部に被着されていることを特徴とするので、１乃至複数回路のリレー端末器を、従来の端末器と連接することができ、しかも施工性が良く、更にリレーを外付けする場合に比べて取付スペースが少なく、またトランスを併設する必要がないため分電盤への取り付けが容易であるという効果がある。
【００７６】
また、器体を構成するボディと第１のカバーとは３方向の寸法のうち最小寸法となる方向において分割され、しかも信号線接続端子を第２のカバーに装着しているから、器体内に端末処理ブロックやラッチングリレーを収納する作業が容易になり、組立性がよいという効果がある。
【００７７】
請求項２の発明は、請求項１の発明において、前記ボディと前記第１のカバーバーとの間に介装されることにより前記ボディ及び前記第１のカバーバーとともに器体を形成しかつ一面側が前記ボディとの間で収納空間を形成可能な形状に形成され他面側が前記カバーとの間で収納空間を形成可能な形状に形成されたセパレータを少なくとも１個備え、複数組の端末処理ブロックおよびラッチングリレーがセパレータを介して配設されているので、ボディとセパレータ、セパレータ同士、セパレータとカバーとの間にそれぞれラッチングリレーを収納する収納空間を形成することができ、セパレータを適宜個数設けることによって複数個のラッチングリレーを備えた器体を構成することができ、しかも、ラッチングリレーの個数にかからわず同一種類のセパレータの個数を増減するだけで対応することができ、多品種を製造するに際しても設備費の増加が少なく、また在庫管理も容易になるという効果がある。
【００７８】
請求項３の発明は、請求項１又は２の発明において、前記ラッチングリレーは、前記伝送・制御用回路基板に実装されているので、ラッチングリレーが寿命となっても、前記回路基板を流用することができ、しかもラッチングリレーを端末処理ブロックの主要部の前記伝送・制御用回路基板に実装することにより、組み立て性の向上と、部材ブロックの小型化が図れるという効果がある。
【００７９】
請求項４の発明は、請求項１乃至３の何れかの発明において、前記ラッチングリレーと前記収納空間の内周面との間の適所に前記ラッチングリレーの励磁コイルブロック収納部分に弾接する板ばねよりなる緩衝ばねが介装されているので、器体内にラッチングリレーを組み込むに際して器体の内面の一部にラッチングリレーを当接させるように緩衝ばねのばね力を作用させることで、ラッチングリレーを固定することができ、ラッチングリレーの器体内での固定作業が容易になるという効果があり、しかも、ラッチングリレーの衝撃を緩衝ばねが緩和し、しかも主開閉接点ブロック側の動作時に生じる音が直接器体へ伝達されるのを抑制でき、ラッチングリレーの動作音を低減させることができるという効果がある。
【００８０】
請求項５の発明は、請求項１乃至４の何れかの発明において、前記ラッチングリレーの出力用の端子、負荷接続端子との間の接続を編組線により行うので、ラッチングリレーで生じる音の外部への伝達を小さくすることができるとともに、配線に融通性をもたらし、組み立て作業が容易となるという効果がある。
【００８１】
請求項６の発明は、請求項１乃至５の何れかの発明において、前記アドレス設定部をディップスイッチで構成し、該ディプスイッチの操作部を前記器体の表面に露出させてあるので、設定アドレスが外部から一目で確認できるという効果がある。
【００８２】
請求項７の発明は、請求項１乃至５の何れかの発明において、前記アドレス設定部は、前記アドレスを含む機能データを記憶保持するメモリと、前記メモリに書き込まれる機能データを含んだ外部からの信号を受信する受信手段とを備え、前記信号を受信すると前記メモリに機能データを記憶保持させるので、端末回路の動作をメモリに格納する機能データにより変更することができ、同一製品を用いながらも施工目的に応じた動作の設定が可能になり、しかもアドレスの設定に際して機械的スイッチを操作する場合に比較すると個々の端末器に触れる必要がなく、端末器の施工後でもアドレスを容易に設定することができ、更に複数のラッチングリレーを内蔵する場合に、夫々のラッチングリレーに異なるアドレスを設定することも可能となるという効果がある。
【００８３】
請求項８の発明は、請求項１乃至７の何れかの発明において、前記ラッチングリレーの主開閉接点を手動で開閉する手動操作手段を器体表面に露出させので、手動操作手段によってラッチングリレーを強制的に開閉することができ、システムダウンにおいても、負荷の強制的なオンオフが可能となるという効果がある。
【００８４】
請求項９の発明は、請求項１乃至８の何れかの発明において、前記ラッチングリレーの手動操作手段の移動に共動して主開閉接点の開閉状態を表示する表示手段を設けたので、負荷のオン・オフ状態を容易に確認することができるという効果がある。
【００８５】
請求項１０の発明は、請求項１乃至９の何れかの発明において、少なくとも前記負荷接続端子を速結端子で構成してあるので、負荷や電源を接続するのが容易に行えるという効果がある。
【図面の簡単な説明】
【図１】本発明の実施形態１の分解斜視図である。
【図２】（ａ）は同上の一側面図である。
（ｂ）は同上の正面図である。
（ｃ）は同上の下面図である。
（ｄ）は同上の他側面図である。
【図３】同上の回路ブロック図である。
【図４】同上に用いる負荷接続端子との接続状態をラッチングリレーの側面図である。
【図５】（ａ）は同上に用いるラッチングリレーの一側面図である。
（ｂ）は同上に用いるラッチングリレーの正面図である。
（ｃ）は同上に用いるラッチングリレーの下面図である。
（ｄ）は同上に用いるラッチングリレーの他側面図である。
【図６】同上に用いるラッチングリレーの手動操作片と表示シートの関係説明図である。
【図７】（ａ）は同上に用いる緩衝ばねの側面図である。
（ｂ）は同上に用いる緩衝ばねの上面図である。
（ｃ）は同上に用いる緩衝ばねの正面図である。
【図８】同上に用いるラッチングリレーの固定手順の説明図である。
【図９】同上の第１のカバーを外した状態の拡大下面図である。
【図１０】（ａ）は同上に用いるラッチングリレーを第１の回路基板に実装した状態の側面図である。
（ｂ）は同上に用いるラッチングリレーを第１の回路基板に実装した状態の上面図である。
【図１１】（ａ）は同上の第２のカバーを外した状態の正面図である。
（ｂ）は同上の第２のカバーを外した状態の一側面図である。
【図１２】同上を用いた配線施工を示す結線図である。
【図１３】同上の他例として用いる端子カバーの平面図である。
【図１４】（ａ）は同上の他例の正面図である。
（ｂ）は同上のカバーを外した状態の下面図である。
【図１５】（ａ）は本発明の実施形態２の一側面図である。
（ｂ）は同上の正面図である。
（ｃ）は同上の下面図である。
（ｄ）は同上の他側面図である。
【図１６】同上の第１のカバー及び隔壁体を外した状態の拡大下面図である。
【図１７】本発明の実施形態３の分解斜視図である。
【図１８】（ａ）は同上の一側面図である。
（ｂ）は同上の正面図である。
（ｃ）は同上の下面図である。
（ｄ）は同上の他側面図である。
【図１９】（ａ）は同上に用いるラッチングリレーを第１の回路基板に実装した状態の側面図である。
（ｂ）は同上に用いるラッチングリレーを第１の回路基板に実装した状態の上面図である。
【図２０】本発明の実施形態４を取付ベースに固定した状態の一部破断せる下面図である。
【図２１】同上の取付ベースへの取付手順を示す説明図である。
【図２２】（ａ）は同上に用いる取付ベースの平面図である。
（ｂ）は同上に用いる取付ベースの側面図である。
【図２３】本発明の実施形態５の分解斜視図である。
【図２４】（ａ）は同上の一側面図である。
（ｂ）は同上の正面図である。
（ｃ）は同上の下面図である。
（ｄ）は同上の他側面図である。
【図２５】同上の第１のカバーを外した状態の拡大下面図である。
【図２６】同上の第１のカバー及び隔壁体を外した状態の拡大下面図である。
【図２７】本発明の実施形態６の分解斜視図である。
【図２８】（ａ）は同上の一側面図である。
（ｂ）は同上の正面図である。
（ｃ）は同上の下面図である。
（ｄ）は同上の他側面図である。
【図２９】本発明の実施形態７の回路ブロック図である。
【図３０】同上の正面図である。
【図３１】同上の第１のカバーを外した状態の拡大下面図である。
【図３２】本発明の実施形態８の正面図である。
【図３３】本発明の実施形態９の第１のカバーを外した状態の拡大下面図である。
【図３４】同上の正面図である。
【図３５】本発明の実施形態１０の正面図である。
【図３６】本発明の実施形態１１の１回路型の例の分解斜視図である。
【図３７】同上の１回路型の例の正面図である。
【図３８】同上の要部説明図である。
【図３９】同上の４回路型の例の分解斜視図である。
【図４０】同上の４回路型の例の正面図である。
【図４１】本発明の実施形態１２の回路ブロック図である。
【図４２】同上の正面図である。
【図４３】遠隔制御監視システムの基本的な概略構成図である。
【図４４】同上に用いる伝送信号の説明図である。
【符号の説明】
１０  器体
１１  ボディ
１２  カバー
１３  カバー
１５  かしめ鋲
１６  信号線接続端子
１７  隔壁体
１７’隔壁
１８  端子配設部
１９  負荷接続端子
２５  ラッチングリレー
３１  回路基板
３２  回路基板
【図１】
0004313446.tif 000002
【図２】
0004313446.tif 000003
【図３】
0004313446.tif 000004
【図４】
0004313446.tif 000005
【図５】
0004313446.tif 000006
【図６】
0004313446.tif 000007
【図７】
0004313446.tif 000008
【図８】
0004313446.tif 000009
【図９】
0004313446.tif 000010
【図１０】
0004313446.tif 000011
【図１１】
0004313446.tif 000012
【図１２】
0004313446.tif 000013
【図１３】
0004313446.tif 000014
【図１４】
0004313446.tif 000015
【図１５】
0004313446.tif 000016
【図１６】
0004313446.tif 000017
【図１７】
0004313446.tif 000018
【図１８】
0004313446.tif 000019
【図１９】
0004313446.tif 000020
【図２０】
0004313446.tif 000021
【図２１】
0004313446.tif 000022
【図２２】
0004313446.tif 000023
【図２３】
0004313446.tif 000024
【図２４】
0004313446.tif 000025
【図２５】
0004313446.tif 000026
【図２６】
0004313446.tif 000027
【図２７】
0004313446.tif 000028
【図２８】
0004313446.tif 000029
【図２９】
0004313446.tif 000030
【図３０】
0004313446.tif 000031
【図３１】
0004313446.tif 000032
【図３２】
0004313446.tif 000033
【図３３】
0004313446.tif 000034
【図３４】
0004313446.tif 000035
【図３５】
0004313446.tif 000036
【図３６】
0004313446.tif 000037
【図３７】
0004313446.tif 000038
【図３８】
0004313446.tif 000039
【図３９】
0004313446.tif 000040
【図４０】
0004313446.tif 000041
【図４１】
0004313446.tif 000042
【図４２】
0004313446.tif 000043
【図４３】
0004313446.tif 000044
【図４４】
0004313446.tif 000045